(57)【特許請求の範囲】
【請求項１】
通信網に接続可能な無線基地局との間に無線通信リンクを確立し、この無線通信リンクを通じてパケットデータによる通信を行うことが可能な移動通信端末装置において、
前記パケットデータの転送を行う通信相手を識別する接続先識別手段と、
前記無線基地局を通じて音声通信を行うための着信信号が到来した場合に、前記接続先識別手段にて識別された通信相手が予め記憶されている相手の場合は、前記着信信号の受付を拒否する通信応答手段とを具備することを特徴とする移動無線端末装置。
【請求項２】
通信網に接続可能な無線基地局との間に無線通信リンクを確立し、この無線通信リンクを通じてパケットデータによる通信を行うことが可能な移動通信端末装置において、
パケットデータ通信中の音声着信を拒否するための識別コードを記憶する記憶部と、
前記パケットデータの転送を行う通信相手を識別する接続先識別手段と、
前記無線基地局を通じて音声通信を行うための着信信号が到来した場合に、前記接続先識別手段にて識別された通信相手が前記記憶部に登録されている識別コードと一致した場合は、前記着信信号の受付を拒否する通信応答手段とを具備することを特徴とする移動無線端末装置。
【請求項３】
前記通信応答手段は、音声着信を拒否する情報を含む信号を送信することを特徴とする請求項１または請求項２に記載の移動無線端末装置。
【発明の詳細な説明】
【０００１】
【発明の属する技術分野】
この発明は、例えば、自動車電話システムや携帯電話システムの端末装置や、ＰＨＳ（Personal Handy phone System）の端末装置であって、特にパケットデータの送受信を行うことが可能な移動無線端末装置に関する。
【０００２】
【従来の技術】
近年、ＰＤＣ（Personal Digita1 Cellular）方式による携帯電話機やＰＨＳ方式による簡易型携帯電話機が広く普及し、音声通信だけでなく文字通信によるデータ通信の需要が高まっている。
【０００３】
また、ブラウザによるコンテンツサービスの環境がパケット交換サービスにより整備され、このサービスを利用するために、パケット通信機能をもつ移動通信端末が普及してきている。
【０００４】
ＰＤＣ方式における初期のパケット通信網では、パケット通信中の音声着信は、着信があった場合着信音を一定時間鳴らして通知するだけで受信することはできなかったが、近時、網側に機能が追加され、パケット通信中でも音声着信に応答することが可能になった。
【０００５】
音声着信の通知には、音声着信方式１と２がある。この両方式においては、パケット通信中の音声着信を、あらかじめ「受ける」／「受けない」の機能設定しておき、設定が「受ける」の時に音声着信があった場合には、自動的にパケット通信を停止して音声着信の呼出に移行する。一方、設定が「受けない」の時に音声着信があった場合には、音声着信を拒否しパケット通信を継続する。
【０００６】
また、音声着信方式２では、音声着信が通知された時に、ユーザがキーなどを操作を通じて、パケット通信継続、あるいはパケット通信を終了し音声着信受付処理のいずれかを選択的に行うことが可能である。
【０００７】
しかしながら、「受ける」に設定している場合、パケット通信中に着信があると、パケットデータが転送されるアクティブ状態の時であっても、音声着信に応答するため、転送中のパケットデータが無効になる虞がある。
【０００８】
また、「受けない」に設定している場合、パケットデータが実際に送受信されていないスタンバイ状態が長い場合においても、音声着信を受けることなく回線を保持し続けるため、回線の利用効率が低下するという問題があった。
【０００９】
【発明が解決しようとする課題】
また従来の移動無線端末装置では、予め、パケット通信時の音声着信を「受ける」か「受けない」かのいずれかに設定するようにしており、「受ける」に設定すると、パケット通信中に着信があった場合、重要な通信相手とのパケット通信であっても着信が報知され、重要なパケット通信が中断してしまう虞があるという問題があった。
【００１０】
この発明は上記の問題を解決すべくなされたもので、重要な通信相手とのパケット通信中に着信があった場合、着信を拒否することが可能な移動無線端末装置を提供することを目的とする。
【００１１】
【課題を解決するための手段】
上記の目的を達成するために、請求項１に係わる本発明は、通信網に接続可能な無線基地局との間に無線通信リンクを確立し、この無線通信リンクを通じてパケットデータによる通信を行うことが可能な移動通信端末装置において、パケットデータの転送を行う通信相手を識別する接続先識別手段と、無線基地局を通じて音声通信を行うための着信信号が到来した場合に、接続先識別手段にて識別された通信相手が予め記憶されている相手の場合は、着信信号の受付を拒否する通信応答手段とを具備して構成するようにした。
【００１２】
上記構成の移動無線端末装置では、無線基地局を通じて音声通信を行うための着信信号が到来した場合に、接続先識別手段にて識別された通信相手が予め記憶されている重要な相手であると、上記着信信号の受付を拒否するようにしている。
【００１３】
したがって、上記構成の移動無線端末装置によれば、重要な通信相手とのパケット通信中に着信があった場合、着信を拒否することができる。
【００１４】
また、請求項２に係わる本発明は、通信網に接続可能な無線基地局との間に無線通信リンクを確立し、この無線通信リンクを通じてパケットデータによる通信を行うことが可能な移動通信端末装置において、パケットデータ通信中の音声着信を拒否するための識別コードを記憶する記憶部と、パケットデータの転送を行う通信相手を識別する接続先識別手段と、無線基地局を通じて音声通信を行うための着信信号が到来した場合に、接続先識別手段にて識別された通信相手が記憶部に登録されている識別コードと一致した場合は、着信信号の受付を拒否する通信応答手段とを具備して構成するようにした。
【００１５】
上記構成の移動無線端末装置では、記憶部に予め重要な通信相手の識別コードを登録しておき、無線基地局を通じて音声通信を行うための着信信号が到来した場合に、接続先識別手段にて識別された通信相手が記憶部に登録されている識別コードの重要な通信相手であると、上記着信信号の受付を拒否するようにしている。
【００１６】
したがって、上記構成の移動無線端末装置によれば、重要な通信相手とのパケット通信中に着信があった場合、着信を拒否することができる。
【００１８】
【発明の実施の形態】
以下、図面を参照して、この発明に係わる移動無線端末装置の第１の実施形態について説明する。ここでは、ＴＤＭＡ（Time Division Multiple Access）方式のＰＤＣ端末装置を例に挙げて説明する。図１は、その構成を示すものである。
【００１９】
この図に示すＰＤＣ端末装置は、アンテナ１１を備えた無線部１０と、モデム部２０と、ＴＤＭＡ部３０と、スピーカ４３およびマイクロホン４４（Ｍ）を備えた通話部４０と、着信報知部５０と、メモリ部６０と、ユーザインターフェイス部７０と、バッテリ８０と、バッテリ監視部９０と、制御部１００とから構成される。
【００２０】
無線基地局から無線通話チャネルを介して送られた無線周波信号は、アンテナ１１で受信されたのち無線部１０の高周波スイッチ（ＳＷ）１２を介して受信部１３に入力される。
【００２１】
この受信部１３では、上記受信された無線周波信号が周波数シンセサイザ１４から発生された受信局部発振信号とミキシングされて受信中間周波信号に周波数変換される。
【００２２】
なお、上記周波数シンセサイザ１４から発生される局部発振周波数は、無線チャネル周波数に応じて制御部１００より指示される。また、無線部１０には受信電界強度検出部（ＲＳＳＩ）１６が設けられている。この受信電界強度検出部１６では無線基地局から到来した無線周波信号の受信電界強度が検出され、その検出値は制御部１００に通知される。
【００２３】
上記受信部１３から出力された受信中間周波信号は、モデム部２０の復調部２１に入力される。復調部２１では上記受信中間周波信号のディジタル復調が行なわれ、これによりディジタル通話信号が再生される。
【００２４】
ＴＤＭＡ部３０のＴＤＭＡデコード部３１では、制御部１００の指示に従ってタイムスロットごとに上記ディジタル通話信号が分解される。そして、この分解された複数のディジタル通話信号のうち、自機宛てのスロットのディジタル通話信号が通話部４０に入力される。
【００２５】
通話部４０は、適応差分ＰＣＭトランスコーダ（ADPCM TRANS CODER）４１と、ＰＣＭコーデック（PCM CODEC）４２とからなり、上記ディジタル通話信号はこの適応差分ＰＣＭトランスコーダ４１およびＰＣＭコーデック４２で順次復号されてアナログ通話信号に再生される。そして、このアナログ通話信号は図示しない受話増幅器で増幅されたのちスピーカ４３から拡声出力される。
【００２６】
一方、マイクロホン４４に入力された送話音声は、ＰＣＭコーデック４２および適応差分ＰＣＭトランスコーダ４１で順次符号化されてディジタル通話信号となり、ＴＤＭＡエンコード部３２に入力される。
【００２７】
ＴＤＭＡエンコード部３２では、上記適応差分トランスコーダ４１から出力されたディジタル通話信号が制御部１００から指示されたタイムスロットに挿入されて、変調部２２に入力される。変調部２２では、上記ディジタル通話信号により搬送波信号がディジタル変調される。このようにして変調された搬送波信号は、送信部１５に入力される。
【００２８】
送信部１５では、上記変調された搬送波信号が周波数シンセサイザ１４から発生された送信局部発振信号とミキシングされることにより、制御部１００より指示された無線チャネル周波数に周波数変換されたのち、所定の送信電力レベルに増幅される。そして、送信部１５にて周波数変換および信号増幅された無線周波信号は高周波スイッチ１２を介してアンテナ１１から無線基地局に向け送信される。
【００２９】
着信報知部５０は、当該端末装置宛てに着信があった場合に、制御部１００の制御によりユーザに対して着信を報知するもので、可聴音を発して報知を行なう発音体５１と、発光により報知を行なう発光体５２と、例えば偏心モータなどにより振動を発生して報知を行なう振動体５３とからなる。
【００３０】
メモリ部６０は、例えばＲＯＭやＲＡＭなどの半導体メモリを記憶媒体としたもので、この記憶媒体には制御部１００の制御プログラムや認証に必要な自機のＩＤデータの他、種々制御データ、各種設定データ、短縮ダイヤル等に対応させたダイヤルデータを記憶している。
【００３１】
ユーザインターフェイス部７０は、表示部７１とキー入力部７２とからなる。表示部７１は、例えばＬＣＤ（Liquid Crystal Display）などからなりユーザに対して自機の状態（発信／着信、バッテリ残量、受信強度）やメモリ部６０から読み出したダイヤルデータを視覚的に示すためのものである。
【００３２】
キー入力部７２は、ダイヤル番号入力を行なうためのテンキーなど発着信に関わる通常の機能を実施するためのキーの他、着信報知方法（可聴音／発光／バイブレータ／報知なし）の切り換えなどの各種設定を行なうための機能設定キーを備えたものである。
【００３３】
バッテリ８０は、リチウムイオン電池やニッケル水素電池などの二次電池からなるもので、当該端末装置の駆動電源である。バッテリ監視部９０は、バッテリ８０を監視するもので、このバッテリの残量を検出して制御部１００に通知する機能の他に、バッテリ８０が充電中であるか否かを検出する充電検出手段９１を備えている。
【００３４】
制御部１００は、例えばマイクロコンピュータを主制御部として備えたもので、上述したような送受信に伴う制御や、上述の着信報知方法の切り換え設定制御などの通常の制御のほかに、新たな制御機能としてパケット通信時着信制御手段１０１を備えている。
【００３５】
パケット通信時着信制御手段１０１は、パケット通信を行うための回線が保持されている状態において、アクティブ状態の場合に、網より音声着信通知があると、これを拒否する応答を行い、一方、スタンバイ状態の場合に、網より音声着信通知があると、これを受け付ける応答を行うようにしたものである。
【００３６】
なお、アクティブ状態とは、パケットデータが実際に送受信されている期間と、パケットデータの送受信終了後、スタンバイ移行タイマが、パケット転送が行われない状態を、インターバルタイムＴ０だけ計時し終えるまでの期間とを合わせた期間のことで、一方、スタンバイ状態とは、アクティブ状態以外の期間ことである。ＰＤＣ端末装置では、網側からインターバルタイムＴ０が設定されることがある。
【００３７】
次に、上記構成のＰＤＣ端末装置の動作を以下に説明する。なお、音声通信やパケット通信を行うための発着信については従来と同様の動作であることより説明を省略する。ここでは特に、パケット通信時着信制御手段１０１によってなされる、パケット通信中に音声着信が生じた場合の制御動作例について説明する。図２は、上記制御動作を説明するためのシーケンス図である。
【００３８】
ＰＤＣ端末装置は、網との間にパケット通信を行うための通信リンクを確立し、パケットデータの転送を行うアクティブ状態（状態Ｓ１）となる。
やがて、パケット通信を行うための回線が保持された状態ではあるが、パケットデータの転送が終了し、さらにインターバルタイムＴ０の間、パケット転送が行われないとスタンバイ状態（状態Ｓ２）となる。この状態では、受信方式が低消費電力な方式に切り替えられる。
【００３９】
その後、パケットデータの転送が再開され、アクティブ状態となり（状態Ｓ３）、この時、網よりＵＰＣＨ音声着信通知およびページングを受信すると、パケット通信時着信制御手段１０１は、これを拒否する情報を含むＵＰＣＨを網に返し、パケットデータの転送を継続する。
【００４０】
そして、その後、パケットデータの転送が終了し、さらにインターバルタイムＴ０の間、パケット転送が行われないと、スタンバイ状態となり（状態Ｓ４）、この時、網よりＵＰＣＨ音声着信通知およびページングを受信すると、パケット通信時着信制御手段１０１は、これを受け付ける情報を含むＵＰＣＨと無線状態報告を網に返して、パケット通信を終了し、音声着信処理を実行する。
【００４１】
以上のように、上記構成のＰＤＣ端末装置では、パケット通信時において、アクティブ状態の場合には、網からの音声着信通知を拒否し、一方、スタンバイ状態の場合には、網からの音声着信通知に応答するようにしている。
【００４２】
したがって、上記構成のＰＤＣ端末装置によれば、回線が実質的に利用されていないスタンバイ時には音声着信に応答するので、回線の利用効率を向上させることができ、またアクティブ状態の場合にのみ、網からの音声着信通知を拒否するので、パケットデータの送受信を中断することがなく、効率よくパケットデータの送受信を行うことができる。
【００４３】
次に、この発明に係わる移動無線端末装置の第２の実施形態について説明する。なお、以下に説明するＴＤＭＡ方式のＰＤＣ端末装置は、図１に示した第１の実施形態のＰＤＣ端末装置とは、見かけ上同様であり、パケット通信時着信制御手段１０１の制御機能が異なるのみである。このため、この制御機能を中心に説明し、その他の構成については説明を省略する。
【００４４】
第２の実施形態に係わるＰＤＣ端末装置では、パケット通信時着信制御手段１０１が、パケット通信を行うための回線が保持されている状態において、アクティブ状態のうち、パケットデータが実際に送受信されている期間と、パケットデータの送受信終了後、制御部１００の判定タイマが、パケット転送が行われない状態を、所定の時間Ｔ１だけ計時し終えるまでの期間とにおいて、網より音声着信通知があると、これを拒否する応答を行い、一方、上記判定タイマによる時間Ｔ１経時以降のアクティブ状態と、スタンバイ状態において、網より音声着信通知があると、これを受け付ける応答を行うようにしたものである。なお、時間Ｔ１は、インターバルタイムＴ０より短く設定される。
【００４５】
次に、上記第２の実施形態に係わるＰＤＣ端末装置において、パケット通信中に音声着信が生じた場合の制御動作例について説明する。なお、この制御動作は、上述のパケット通信時着信制御手段１０１によってなされる。図３に、そのシーケンスを示す。
【００４６】
ＰＤＣ端末装置は、網との間にパケット通信を行うための通信リンクを確立し、パケットデータの転送を行う。パケット転送の終了後に、パケット転送が行われていない状態を、判定タイマが時間Ｔ１だけ、スタンバイ移行タイマがインターバルタイムＴ０だけ、それぞれカウントする。
【００４７】
パケット転送の開始からパケット転送の終了後まで期間と、パケット転送の終了後に判定タイマが時間Ｔ１をカウントするまでの期間の両期間（状態Ｓ１）においては、仮に網からのＵＰＣＨ音声着信通知があっても、パケット通信時着信制御手段１０１は、これを拒否する。
【００４８】
その後、スタンバイ移行タイマが、パケット転送の終了後からインターバルタイムＴ０を計時すると、パケット通信を行うための回線を保持した状態で、スタンバイ状態に遷移する。この状態では、受信方式が低消費電力な方式に切り替えられる。
【００４９】
ここで、上記判定タイマが時間Ｔ１をカウントし終えた後のアクティブ状態の期間（Ｔ０−Ｔ１）と上記スタンバイ状態の両状態（状態Ｓ２）においては、仮に網からのＵＰＣＨ音声着信通知があると、パケット通信時着信制御手段１０１は、これに応答する。
【００５０】
続いて、パケットデータの転送が再開され、アクティブ状態となると、パケット転送の終了後に、パケット転送が行われていない状態を、判定タイマが時間Ｔ１だけ、スタンバイ移行タイマがインターバルタイムＴ０だけ、それぞれカウントする。
【００５１】
そして、アクティブ状態再開から判定タイマが時間Ｔ１をカウントするまでの間（状態Ｓ３）に、網よりＵＰＣＨ音声着信通知およびページングを受信すると、パケット通信時着信制御手段１０１は、これを拒否する情報を含むＵＰＣＨを網に返し、パケットデータの転送を継続する。
【００５２】
そして、その後、スタンバイ移行タイマが、パケット転送の終了後から所定のインターバルタイムＴ０を計時すると、パケット通信を行うための回線を保持した状態で、スタンバイ状態に遷移する。この状態では、受信方式が低消費電力な方式に切り替えられる。
【００５３】
ここで、上記判定タイマが時間Ｔ１をカウントし終えた後のアクティブ状態の期間（Ｔ０−Ｔ１）と上記スタンバイ状態の両状態（状態Ｓ４）において、網よりＵＰＣＨ音声着信通知およびページングを受信すると、パケット通信時着信制御手段１０１は、これを受け付ける情報を含むＵＰＣＨと無線状態報告を網に返して、パケット通信を終了し、音声着信処理を実行する。
【００５４】
以上のように、上記構成のＰＤＣ端末装置では、パケット通信時において、パケット転送時およびパケット転送後の期間Ｔ１においては、網からの音声着信通知を拒否し、一方、パケット転送後の期間Ｔ１以後、およびスタンバイ状態においては、網からの音声着信通知に応答するようにしている。
【００５５】
したがって、上記構成のＰＤＣ端末装置によれば、回線が実質的に利用されていない、パケット転送後の期間Ｔ１およびスタンバイ時には音声着信に応答するので、回線の利用効率を向上させることができ、またパケット転送時およびパケット転送後の期間Ｔ１においてのみ、網からの音声着信通知を拒否するので、パケットデータの送受信を中断することがなく、効率よくパケットデータの送受信を行うことができる。
【００５６】
また、前述の第１の実施形態に比べて、スタンバイ状態直前のパケット転送が行われていない期間Ｔ０−Ｔ１より、音声着信に応答することができるので、さらに回線の利用効率を向上させることができる。
【００５７】
次に、この発明に係わる移動無線端末装置の第３の実施形態について説明する。なお、以下に説明するＴＤＭＡ方式のＰＤＣ端末装置は、図１に示した第１の実施形態のＰＤＣ端末装置とは、見かけ上同様であり、パケット通信時着信制御手段１０１の制御機能が異なるのみである。このため、この制御機能を中心に説明し、その他の構成については説明を省略する。
【００５８】
第３の実施形態に係わるＰＤＣ端末装置では、パケット通信時着信制御手段１０１が、パケット転送されるデータの総量を検出し、パケット通信を行うための回線が保持され、パケット通信が開始された状態において、音声着信があった際に、転送されるデータの総量に対して、すでに転送されたデータ、あるいは、転送したデータの大きさが予め設定した値（以下、判定閾値と称する）未満の場合には、上記着信を受け付ける応答を行い、一方、判定閾値以上の場合には、上記着信を拒否する応答を行うようにしたものである。
【００５９】
次に、上記構成のＰＤＣ端末装置の動作を以下に説明する。なお、音声通信やパケット通信を行うための発着信については従来と同様の動作であることより説明を省略する。
【００６０】
ここでは特に、パケット通信時着信制御手段１０１によってなされる、パケット通信中に音声着信が生じた場合の制御動作例について説明する。なお、以下の説明では、上記判定閾値が３０％に設定されているものとする。
【００６１】
まず、図４を参照して、転送されるデータの総量に対して、すでに転送されたデータ、あるいは、転送したデータの大きさが判定閾値３０％未満の場合における音声着信制御動作について説明する。
【００６２】
ＰＤＣ端末装置は、網との間にパケット通信を行うための通信リンクを確立し、これから転送するデータの総量を検出し、パケットデータの転送が開始される。なお、データを受信する際には、網より上記総量の通知を受ける。
【００６３】
その後、パケットデータの転送が進行に伴い、転送されたデータ、あるいは転送したデータの大きさをカウントする。そして、転送されるデータの総量に対して、すでに転送されたデータ、あるいは、転送したデータの大きさが判定閾値３０％未満の時に、網よりＵＰＣＨ音声着信通知およびページングを受信すると、パケット通信時着信制御手段１０１は、これを受け付ける情報を含むＵＰＣＨと無線状態報告を網に返して、パケット通信を終了し、音声着信処理を実行する。
【００６４】
次に、図５を参照して、転送されるデータの総量に対して、すでに転送されたデータ、あるいは、転送したデータの大きさが判定閾値３０％以上の場合における音声着信制御動作について説明する。
【００６５】
ＰＤＣ端末装置は、網との間にパケット通信を行うための通信リンクを確立し、これから転送するデータの総量を検出し、パケットデータの転送が開始される。なお、データを受信する際には、網より上記総量の通知を受ける。
【００６６】
その後、パケットデータの転送が進行に伴い、転送されたデータ、あるいは転送したデータの大きさをカウントする。そして、転送されるデータの総量に対して、すでに転送されたデータ、あるいは、転送したデータの大きさが判定閾値３０％以上の時に、網よりＵＰＣＨ音声着信通知およびページングを受信すると、パケット通信時着信制御手段１０１は、これを拒否する情報を含むＵＰＣＨを網に返し、パケットデータの転送を継続する。
【００６７】
以上のように、上記構成のＰＤＣ端末装置では、パケット通信中において、音声着信があった際に、転送されるデータの総量に対して、すでに転送されたデータ、あるいは、転送したデータの大きさが予め設定した値（以下、判定閾値と称する）未満の場合には、上記着信を受け付ける応答を行い、一方、判定閾値以上の場合には、上記着信を拒否する応答を行うようにしている。
【００６８】
したがって、上記構成のＰＤＣ端末装置によれば、パケット通信が開始された初期においては、網からの音声着信に応答し、一方、ある程度パケット通信が進行した状況では、音声着信を拒否するので、パケット通信の効率を考慮して音声着信に応答することができる。
【００６９】
次に、この発明に係わる移動無線端末装置の第４の実施形態について説明する。なお、以下に説明するＴＤＭＡ方式のＰＤＣ端末装置は、図１に示した第１の実施形態のＰＤＣ端末装置とは、見かけ上同様であり、パケット通信時着信制御手段１０１の制御機能が異なるのみである。このため、この制御機能を中心に説明し、その他の構成については説明を省略する。
【００７０】
第４の実施形態に係わるＰＤＣ端末装置では、予めメモリ部６０に、通信プロトコル毎に音声着信に応じるか否かの情報が設定されており、パケット通信時着信制御手段１０１が、用いた通信プロトコルに対応する上記情報の設定に応じて、パケット通信中の音声着信を受け付けたり、拒否したりするようにしたものである。
【００７１】
上記構成のＰＤＣ端末装置では、メモリ部６０に、図６に示すように、ＳＶＣ（選択的仮想回線接続パケット通信）を行うためのプロトコルに対応させて「受ける」の情報を記憶し、ＰＶＣ（移動パケット通信）を行うためのプロトコルに対応させて「受けない」の情報を記憶しているものとする。
【００７２】
まず、ＰＤＣ端末装置は、網との間にパケット通信を行うための通信リンクを確立し、パケットデータの転送を開始する。なお、この際、網とのネゴシエーション結果に基づいて、使用したプロトコルをメモリ部６０に記憶しておく。
【００７３】
やがて、ＳＶＣのパケット通信を行なっている際に、網よりＵＰＣＨ音声着信通知およびページングを受信すると、パケット通信時着信制御手段１０１は、これを受け付ける情報を含むＵＰＣＨと無線状態報告を網に返して、パケット通信を終了し、音声着信処理を実行する。
【００７４】
一方、ＰＶＣのパケット通信を行なっている際に、網よりＵＰＣＨ音声着信通知およびページングを受信すると、パケット通信時着信制御手段１０１は、これを拒否する情報を含むＵＰＣＨを網に返し、パケット通信を継続する。
【００７５】
以上のように、上記構成のＰＤＣ端末装置では、予めメモリ部６０に、通信プロトコル毎に音声着信に応じるか否かの情報が設定されており、用いた通信プロトコルに対応する上記情報の設定に応じて、パケット通信中の音声着信を受け付けたり、拒否したりするようにしている。
【００７６】
したがって、上記構成のＰＤＣ端末装置によれば、パケット通信時に、その通信プロトコルに応じて、音声着信を受け付けたり、あるいは拒否したりするように設定できる。
【００７７】
次に、この発明に係わる移動無線端末装置の第５の実施形態について説明する。なお、以下に説明するＴＤＭＡ方式のＰＤＣ端末装置は、図１に示した第１の実施形態のＰＤＣ端末装置とは、見かけ上同様であり、パケット通信時着信制御手段１０１の制御機能が異なるのみである。このため、この制御機能を中心に説明し、その他の構成については説明を省略する。
【００７８】
第５の実施形態に係わるＰＤＣ端末装置では、パケット通信としてＳＶＣ（選択的仮想回線接続パケット通信）を行うもので、メモリ部６０に、着信処理設定情報として、選択的仮想回線同時接続数に応じて、音声着信を「受ける」、「受けない」の情報を記憶しており、パケット通信時着信制御手段１０１が、選択的仮想回線同時接続数をカウントし、このカウント結果と上記着信処理設定情報とを比較し、パケット通信中の音声着信を受け付けたり、拒否したりするようにしたものである。
【００７９】
上記構成のＰＤＣ端末装置では、メモリ部６０に、図７に示すように、着信処理設定情報として、選択的仮想回線同時接続数が「３」以下なら音声着信を「受ける」、一方、「４」以上なら「受けない」の情報を記憶している。
【００８０】
パケット通信時着信制御手段１０１は、仮想回線接続処理する毎に接続数をインクリメントし、一方、仮想回線解除処理する毎にデインクリメントして、選択的仮想回線同時接続数をカウントし、このカウント結果をメモリ部６０に記録する。
【００８１】
そして、パケット通信時着信制御手段１０１は、パケット通信中に音声着信が生じると、上記メモリ部６０に記録したカウント結果と図７に示した着信処理設定情報とを比較し、選択的仮想回線同時接続数が３以下であれば、上記音声着信を受け付ける情報を含むＵＰＣＨと無線状態報告を網に返して、パケット通信を終了し、音声着信処理を実行する。
【００８２】
一方、選択的仮想回線同時接続数が４以上であれば、パケット通信時着信制御手段１０１は、上記音声着信を拒否する情報を含むＵＰＣＨを網に返し、パケット通信を継続する。
【００８３】
以上のように、上記構成のＰＤＣ端末装置では、選択的仮想回線同時接続数をカウントし、このカウント結果に応じて、パケット通信中の音声着信を受け付けたり、拒否したりするようにしている。
【００８４】
したがって、上記構成のＰＤＣ端末装置によれば、パケット通信時に、その選択的仮想回線同時接続数に応じて、音声着信を受け付けたり、あるいは拒否したりするように設定できる。
【００８５】
次に、この発明に係わる移動無線端末装置の第６の実施形態について説明する。なお、以下に説明するＴＤＭＡ方式のＰＤＣ端末装置は、図１に示した第１の実施形態のＰＤＣ端末装置とは、見かけ上同様であり、パケット通信時着信制御手段１０１の制御機能が異なるのみである。このため、この制御機能を中心に説明し、その他の構成については説明を省略する。
【００８６】
第６の実施形態に係わるＰＤＣ端末装置では、予めメモリ部６０に、着信処理設定情報として、パケット通信の相手となる接続先毎に音声着信に応じるか否かの情報が設定されており、パケット通信時着信制御手段１０１が、接続先に対応する上記着信処理設定情報の設定に応じて、パケット通信中の音声着信を受け付けたり、拒否したりするようにしたものである。
【００８７】
上記構成のＰＤＣ端末装置では、メモリ部６０に、図８に示すような着信処理設定情報として、パケット通信の相手となる接続先の識別コード「１１１２２２２以外」に対応させて「受ける」の情報を記憶し、接続先の識別コード「１１１２２２２」に対応させて「受けない」の情報を記憶しているものとする。
【００８８】
まず、ＰＤＣ端末装置は、網との間にパケット通信を行うための通信リンクを確立し、パケットデータの転送を開始する。なお、この際、網とのネゴシエーション結果に基づいて、接続先の識別コードをメモリ部６０に記憶しておく。
【００８９】
やがて、パケット通信を行なっている際に、網よりＵＰＣＨ音声着信通知およびページングを受信すると、パケット通信時着信制御手段１０１は、現在接続中の接続先の識別コードと、上記着信処理設定情報とを比較する。
【００９０】
そして、現在接続中の接続先の識別コードが「１１１２２２２以外」の場合には、上記音声着信を受け付ける情報を含むＵＰＣＨと無線状態報告を網に返して、パケット通信を終了し、音声着信処理を実行する。
【００９１】
一方、現在接続中の接続先の識別コードが「１１１２２２２」の場合には、パケット通信時着信制御手段１０１は、上記音声着信を拒否する情報を含むＵＰＣＨを網に返し、パケット通信を継続する。
【００９２】
以上のように、上記構成のＰＤＣ端末装置では、予めメモリ部６０に、パケット通信の接続先毎に音声着信に応じるか否かの情報が設定されており、接続先に対応する上記情報の設定に応じて、パケット通信中の音声着信を受け付けたり、拒否したりするようにしている。
【００９３】
したがって、上記構成のＰＤＣ端末装置によれば、パケット通信時に、その接続先に応じて、音声着信を受け付けたり、あるいは拒否したりするように設定できる。
【００９４】
次に、この発明に係わる移動無線端末装置の第７の実施形態について説明する。なお、以下に説明するＴＤＭＡ方式のＰＤＣ端末装置は、図１に示した第１の実施形態のＰＤＣ端末装置とは、見かけ上同様であり、パケット通信時着信制御手段１０１の制御機能が異なるのみである。このため、この制御機能を中心に説明し、その他の構成については説明を省略する。
【００９５】
第７の実施形態に係わるＰＤＣ端末装置では、メモリ部６０に、着信処理設定情報として、パケット通信経過時間に応じて、音声着信を「受ける」、「受けない」の情報を記憶しており、パケット通信時着信制御手段１０１が、パケット通信経過時間を計時し、この計時結果と上記着信処理設定情報とを比較し、パケット通信中の音声着信を受け付けたり、拒否したりするようにしたものである。
【００９６】
上記構成のＰＤＣ端末装置では、メモリ部６０に、図９に示すように、着信処理設定情報として、パケット通信経過時間が「２０分」以上なら音声着信を「受ける」、一方、「２０分」未満なら「受けない」の情報を記憶している。
【００９７】
パケット通信時着信制御手段１０１は、パケット通信が開始されると、その経過時間を計時する。
そして、パケット通信時着信制御手段１０１は、パケット通信中に音声着信が生じると、上記経過時間と図９に示した着信処理設定情報とを比較し、パケット通信経過時間が「２０分」以上であれば、上記音声着信を受け付ける情報を含むＵＰＣＨと無線状態報告を網に返して、パケット通信を終了し、音声着信処理を実行する。
【００９８】
一方、パケット通信経過時間が「２０分」未満であれば、パケット通信時着信制御手段１０１は、上記音声着信を拒否する情報を含むＵＰＣＨを網に返し、パケット通信を継続する。
【００９９】
以上のように、上記構成のＰＤＣ端末装置では、パケット通信時間を計時し、この計時結果に応じて、パケット通信中の音声着信を受け付けたり、拒否したりするようにしている。
【０１００】
したがって、上記構成のＰＤＣ端末装置によれば、パケット通信時に、その経過時間に応じて、音声着信を受け付けたり、あるいは拒否したりするように設定できる。
【０１０１】
尚、この発明は上記実施の形態に限定されるものではない。その他、この発明の要旨を逸脱しない範囲で種々の変形を施しても同様に実施可能であることはいうまでもない。
【０１０２】
【発明の効果】
以上述べたように、この発明では、無線基地局を通じて音声通信を行うための着信信号が到来した場合に、接続先識別手段にて識別された通信相手が予め記憶されている重要な相手であると、着信信号の受付を拒否するようにしている。
【０１０３】
したがって、この発明によれば、重要な通信相手とのパケット通信中に着信があった場合、着信を拒否することが可能な移動無線端末装置を提供できる。
【０１０４】
また本発明では、記憶部に予め重要な通信相手の識別コードを登録しておき、無線基地局を通じて音声通信を行うための着信信号が到来した場合に、接続先識別手段にて識別された通信相手が記憶部に登録されている識別コードの重要な通信相手であると、着信信号の受付を拒否するようにしている。
【０１０５】
したがって、この発明によれば、重要な通信相手とのパケット通信中に着信があった場合、着信を拒否することが可能な移動無線端末装置を提供できる。
【図面の簡単な説明】
【図１】この発明に係わる移動無線端末装置の第１の実施の形態の構成を示す回路ブロック図。
【図２】図１に示した移動無線端末装置のパケット通信時の音声着信制御を説明するためのシーケンス図。
【図３】第２の実施形態に係わる移動無線端末装置のパケット通信時の音声着信制御を説明するためのシーケンス図。
【図４】第３の実施形態に係わる移動無線端末装置のパケット通信時の音声着信制御を説明するためのシーケンス図。
【図５】第４の実施形態に係わる移動無線端末装置のパケット通信時の音声着信制御を説明するためのシーケンス図。
【図６】第５の実施形態に係わる移動無線端末装置のメモリ部に記録される着信処理設定情報を示す図。
【図７】第６の実施形態に係わる移動無線端末装置のメモリ部に記録される着信処理設定情報を示す図。
【図８】第７の実施形態に係わる移動無線端末装置のメモリ部に記録される着信処理設定情報を示す図。
【図９】第８の実施形態に係わる移動無線端末装置のメモリ部に記録される着信処理設定情報を示す図。
【符号の説明】
１０…無線部
１１…アンテナ
１３…受信部
１５…送信部
２０…モデム部
２１…復調部
２２…変調部
３０…ＴＤＭＡ部
３１…ＴＤＭＡデコード部
３２…ＴＤＭＡエンコード部
４０…通話部
４１…適応差分ＰＣＭトランスコーダ（ADPCM TRANS CODER）
４２…ＰＣＭコーデック（PCM CODEC）
４３…スピーカ
４４…マイクロホン（Ｍ）
５０…着信報知部
５１…発音体
５２…発光体
５３…振動体
６０…メモリ部
７０…ユーザインターフェイス部
７１…表示部
７２…キー入力部
８０…バッテリ
９０…バッテリ監視部
９１…充電検出手段
１００…制御部
１０１…パケット通信時着信制御手段
【図１】
0003688948.tif 000002
【図２】
0003688948.tif 000003
【図３】
0003688948.tif 000004
【図４】
0003688948.tif 000005
【図５】
0003688948.tif 000006
【図６】
0003688948.tif 000007
【図７】
0003688948.tif 000008
【図８】
0003688948.tif 000009
【図９】
0003688948.tif 000010